(57)【要約】【課題】  レーンに形成した開口に付着した塵埃を手間を掛けずに除去できるフィルムキャリアを合理的に構成する。【解決手段】  第１搬送レーンＬ１と、第２搬送レーンＬ２とが形成されたフィルム搬送ユニット３０をフィルムキャリア本体に収容し、このフィルム搬送ユニット３０を主走査方向にスライド作動させた際に、第１搬送レーンＬ１に形成された第１スリットＳ１と、第２搬送レーンＬ２に形成された第２スリットＳ２とに接触して塵埃を除去する除去ブラシ７０をフィルムキャリア本体の内部に備えた。【選択図】        図７
2007053478.tif 000002
【特許請求の範囲】
【請求項１】
複数のレーンを有するフィルム搬送ユニットと、このフィルム搬送ユニットの前記レーンのフィルム搬送方向と直交する方向へのシフトを許すレーン切換機構とを備え、このレーン切換機構でのシフト作動により何れかのレーンをスキャニングポジションに設定し、そのレーンに形成した開口に光源からの光線を導いて写真フィルムから画像データの取得を実現するフィルムキャリアであって、
前記レーン切換機構による前記フィルム搬送ユニットのシフト作動時に、前記開口に作用して塵埃を除去する除塵手段を備えているフィルムキャリア。
【請求項２】
前記フィルム搬送ユニットが１３５サイズの写真フィルム用のレーンと、２４０サイズの写真フィルムのレーンとの２レーンが形成されると共に、前記フィルム搬送ユニットをシフト方向に往復移動させることにより、前記２レーンの何れか一方が前記スキャニングポジションに位置するように前記レーン切換機構の作動形態を設定し、前記除塵手段を前記スキャニングポジションを挟む２箇所に配置している請求項１記載のフィルムキャリア。
【請求項３】
前記除塵手段が、前記開口の開口縁に接触するブラシで構成されている請求項１又は２記載のフィルムキャリア。
【発明の詳細な説明】
【技術分野】
【０００１】
本発明は、複数のレーンを有するフィルム搬送ユニットと、このフィルム搬送ユニットの前記レーンのフィルム搬送方向と直交する方向へのシフトを許すレーン切換機構とを備え、このレーン切換機構でのシフト作動により何れかのレーンをスキャニングポジションに設定し、そのレーンに形成した開口に光源からの光線を導いて写真フィルムから画像データの取得を実現するフィルムキャリアに関し、詳しくは、塵埃の除去を行う技術に関する。
【背景技術】
【０００２】
複数のレーンを有する搬送ユニットを備えたものではないが、写真フィルムを送るレーンに形成した開口に光源からの光線を導いて画像データの取得を行い、塵埃の除去を行うものとして特許文献１に記載されるものが存在する。この特許文献１では、作業テーブルの下方に配置した光源部からの光線をフィルムキャリアに導き、このフィルムキャリアにセットした写真フィルムの画像を、このフィルムキャリアの上方に配置した読取部で取得するように構成されている。
【０００３】
また、フィルムキャリアは、光源部からの光線を送り出すスリットを基台に形成し、この基台に対して原稿台をスライド移動自在に支持し、パルスモータで送りねじを駆動することで原稿台をスライド方向に移動させてスキャニングを行うように構成されている。前記スリットにはガラスを段差無く備えており、原稿台にはスライド移動方向の前端側と後端側とにブラシを設けており、この原稿台が移動する際にスリットに備えたガラスにブラシを接触させて塵埃（ゴミ）を除去する。
【０００４】
【特許文献１】特開２００２‐２９６７０５号公報  （段落番号〔００３２〕〜〔００６４〕、図１〜７）
【発明の開示】
【発明が解決しようとする課題】
【０００５】
光源部からの光線が導かれるスリットの部位で写真フィルムを移動させて画像データを取得するスキャナでは、そのスリットの部位に塵埃が付着した場合には、塵埃によって光線の光量が減じられるため、取得した画像データにライン状のムラを発生させる等、不適正な画像データとなっていた。この不都合は特許文献１に記載される技術によって改善することも考えられる。
【０００６】
しかしながら、写真フィルムを搬送するレーンにスリット状の開口を形成し、写真フィルムの搬送と同期して画像データを取得するスキャニング作動を行うものでは、特許文献１に記載された原稿台に相当するものが存在しないためスリット状の開口に付着した塵埃を除去するにはブラシ等を用いた人為的な作業に頼らねばならず改善の余地があった。
【０００７】
本発明の目的は、レーンに形成した開口に付着した塵埃を手間を掛けずに除去できるフィルムキャリアを合理的に構成する点にある。
【課題を解決するための手段】
【０００８】
本発明の特徴は、複数のレーンを有するフィルム搬送ユニットと、このフィルム搬送ユニットの前記レーンのフィルム搬送方向と直交する方向へのシフトを許すレーン切換機構とを備え、このレーン切換機構でのシフト作動により何れかのレーンをスキャニングポジションに設定し、そのレーンに形成した開口に光源からの光線を導いて写真フィルムから画像データの取得を実現するフィルムキャリアにおいて、
前記レーン切換機構による前記フィルム搬送ユニットのシフト作動時に、前記開口に作用して塵埃を除去する除塵手段を備えている点にある。
【０００９】
この構成により、フィルム搬送ユニットのシフト作動時には除塵手段が前記開口に作用して塵埃を除去する。つまり、フィルム搬送ユニットをシフトさせることにより、複数のレーンの何れかをスキャニングポジションに設定する作動形態を利用することにより、オペレータが人為的に塵埃を除去する作業を行わずとも、開口に付着した塵埃を除去できるものとなる。その結果、レーンに形成した開口に付着した塵埃を手間を掛けずに除去できるフィルムキャリアが合理的に構成された。
【００１０】
本発明は、前記フィルム搬送ユニットが１３５サイズの写真フィルム用のレーンと、２４０サイズの写真フィルムのレーンとの２レーンが形成されると共に、前記フィルム搬送ユニットをシフト方向に往復移動させることにより、前記２レーンの何れか一方が前記スキャニングポジションに位置するように前記レーン切換機構の作動形態を設定し、前記除塵手段を前記スキャニングポジションを挟む２箇所に配置しても良い。
【００１１】
この構成により、スキャニングポジションを切り換える操作を行った場合には、２レーン夫々に形成した開口に対して必ず除塵手段が作用することになり、スキャニングに先立てスキャニングポジションを切り換える操作を行うだけで開口を清浄にした状態でのスキャニングを行える。
【００１２】
本発明は、前記除塵手段が、前記開口の開口縁に接触するブラシで構成しても良い。
【００１３】
この構成により、ブラシを用いた構造から比較的安価で、塵埃の除去を良好に行うことが可能となる。
【発明を実施するための最良の形態】
【００１４】
以下、本発明の実施形態を図面に基づいて説明する。
図１は、本発明によるフィルムキャリアＦＣを備えたフィルムスキャナ１の外観を示している。
【００１５】
このフィルムスキャナ１は、現像済みの写真フィルムＦ（後述する２種の写真フィルムＦ１、Ｆ２の総称）に形成されたアナログ画像データを、写真フィルムの各画像コマを透過する透過光を光電変換素子で受光することによって画像データに変換して取得する装置である。得られた画像データは、フィルムスキャナ１に接続されたデジタルプリント装置（図示せず）又はコンピュータ（図示せず）のハードディスク等に一旦格納され、外部からの要求に対応して伝送することができる。出力方式としては、前記デジタルプリント装置などによる銀塩式の写真プリントの作成の他に、コンパクトディスク、ＭＯその他の記憶媒体上への画像データの書き込み等の出力形態が採用される。
【００１６】
このフィルムスキャナ１は、下面に移動用のキャスタ２が付けられた直方体のキャビネット状のスキャナ本体３の内部に、ハロゲンランプ等で成る光源４を備え、この光源４からの光線を光ファイバ束によって導光アーム５に導く導光系を形成している。この導光アーム５の下方に前記フィルムキャリアＦＣを配置し、この導光アーム５の下方位置で前記スキャナ本体３の内部にズーム型の光学レンズ６と、この光学レンズ６からの光線が導かれる光電変換部７とを配置している。
【００１７】
尚、前記導光系として光ファイバ束に代えて、複数のミラーやプリズムを用いるものであって良い。また、前記光電変換部７は、光学レンズ６からの光線が結像する位置に配置されたＲ（赤）、Ｇ（緑）、Ｂ（青）の３原色に対応してラインＣＣＤで構成されている。
【００１８】
フィルムキャリアＦＣの構造は後述するが、このフィルムキャリアＦＣに写真フィルムＦをセットし、このフィルムキャリアＦＣで写真フィルムＦを図２にＹで示す副走査方向に向けて設定速度で搬送し、この搬送と同期したタイミングでラインＣＣＤによって写真フィルムＦの主走査方向Ｘに沿った領域のラインデータを取得するようにスキャニング形態が設定されている。
【００１９】
〔フィルムキャリア〕
前記フィルムキャリアＦＣは、前記スキャナ本体３に対して着脱自在に支持される。ここでは、１３５サイズの写真フィルムＦ１と２４０サイズの写真フィルムＦ２の２種類のフィルムに対応した兼用型のフィルムキャリアＦＣについて解説する。
【００２０】
図１〜図５に示すように、フィルムキャリＦＣは、合成樹脂などで形成された筐体状のフィルムキャリア本体１０を有している。フィルムキャリア本体１０は、スキャナ本体３の上面に設けられた位置決めレールに係合する係合溝（不図示）を下面に備えた下側本体１０Ｂと、この下側本体１０Ｂの上面を覆う上側本体１０Ｔとからなる。
【００２１】
図３に示す方向視においてフィルムキャリア本体１０の右側部には、写真フィルムＦの挿入部１０Ｐを設け、左側部には写真フィルムＦの排出部１０Ｑを設けている。
【００２２】
上側本体１０Ｔは、オペレータの位置から見て奥側の固定部１０Ｔａと、オペレータから見て手前側の開閉部１０Ｔｂとからなり、前記固定部１０Ｔａは下側本体１０Ｂに固定され、この固定部１０Ｔａと開閉部１０Ｔｂとは水平な軸芯を備えたヒンジ１１によって開閉自在に連結されている。図面には示していないが、この開閉部１０Ｔｂを閉じ姿勢に維持するロック機構を備えている。
【００２３】
前記上側本体１０Ｔ（開閉部１０Ｔｂ）には、前記導光アーム５の先端から下向きに送り出されるスキャニング用の光線を受け入れる上側開口Ｈｔが形成され、これと同様に、下側本体１０Ｂには、写真フィルムＦのコマを透過した透過光をスキャナ本体３の内部の光電変換部７に導く下側開口Ｈｂが形成されている。上側開口Ｈｔと下側開口Ｈｂとを上下方向に結ぶ透光ラインＺは、前記挿入部１０Ｐと排出部１０Ｑとを結ぶ搬送ラインＣと交差する位置関係となる。
【００２４】
フィルムキャリア本体１０の内部には、１３５サイズの写真フィルムＦ１用の第１搬送レーンＬ１と、２４０サイズの写真フィルムＦ２用の第２搬送レーンＬ２の双方を備えたフィルム搬送ユニット３０を備えている。
【００２５】
前記フィルム搬送ユニット３０は、金属製のベースプレート３１の上面に対して閉じ姿勢と開放姿勢とに切換自在に金属製の一対の揺動プレート３２を、ヒンジ３３を介して開閉自在に備えており、このベースプレート３１に前記副走査方向Ｙに沿う姿勢で２つの溝状部を並列して形成し、２つの溝状部の一方を前記第１搬送レーンＬ１とし、他方を前記第２搬送レーンＬ２としている。
【００２６】
前記ベースプレート３１と揺動プレート３２とは、揺動端側においてロックアーム３０Ｌによって閉じ状態に維持できるように構成され、このロックアーム３０Ｌによるロックを解除することにより図３に示す如く、揺動プレート３２を開放姿勢に設定できる。
【００２７】
前記第１搬送レーンＬ１と第２搬送レーンＬ２とには、導光アーム５の先端から前記上側開口Ｈｔを介し、前記透光ラインＺに沿って送られる光線が通過する第１スリットＳ１と、第２スリットＳ２とが、その長手方向を主走査方向Ｘに沿う姿勢で形成されている。この第１スリットＳ１と、第２スリットＳ２が本発明の開口に対応するものである。
【００２８】
また、揺動プレート３２には、この揺動プレート３２を閉じ姿勢に設定した状態において前記第１スリットＳ１及び第２スリットＳ２の上方を開放するように、第１スリットＳ１及び第２スリットＳ２より大きい開放空間を有する第１開放部Ｔ１と第２開放部Ｔ２を形成して光線の通過を許すようにしている。
【００２９】
図７に示すように、前記フィルムキャリア本体１０の内部で下側本体１０Ｂの上面には前記主走査方向Ｘに沿う姿勢のレール１３を設けており、このレール１３に沿って移動自在なスライド体１４を前記ベースプレート３１の下面に備えている。
【００３０】
このような構造から、前記フィルム搬送ユニット３０をスライド作動させ、図６（イ）及び図７（ロ）に示すように、前記挿入部１０Ｐと排出部１０Ｑとを結ぶ前記搬送ラインＣ上に前記第１搬送レーンＬ１を一致させてスキャニングポジションにセットすることにより、前記第１スリットＳ１が前記透光ラインＺ上に位置する。また、図６（ロ）及び図７（イ）に示すように、前記挿入部１０Ｐと排出部１０Ｑとを結ぶ搬送ラインＣ上に前記第２搬送レーンＬ２を一致させてスキャニングポジションにセットすることにより、前記第２スリットＳ２が前記透光ラインＺ上に位置する。
【００３１】
図面では透光ラインＺの位置をスキャニングポジションとして示している。尚、レール１３とスライド体１４とでレーン切換機構が構成されている。
【００３２】
また、前記フィルム搬送ユニット３０をスライド作動方向での一方の作動端まで移動させることで第１搬送レーンＬ１をスキャニングポジションにセットすることになり、他方の作動端まで移動させることで第２搬送レーンＬ２をスキャニングポジションにセットするように、夫々のストロークエンドの位置を設定している。このように前記フィルム搬送ユニット３０の位置の切り換えを行う際には、前記ベースプレート３１に備えた第１操作ハンドルＨ１を手動操作することになる。
【００３３】
前記第１搬送レーンＬ１を構成するベースプレート３１の溝状部には複数の駆動ローラ３４を備えており、また、この第１搬送レーンＬ１を構成する２つの揺動プレート３２には前記駆動ローラ３４と対向する従動ローラ３５を備えている。これと同様に、前記第２搬送レーンＬ２を構成するベースプレート３１の溝状部には複数の駆動ローラ３６を備えており、また、この第２搬送レーンＬ２を構成する２つの揺動プレート３２には前記駆動ローラ３６と対向する従動ローラ３７を備えている。
【００３４】
前記搬送ラインＣ上で前記排出部１０Ｑの近傍位置には、巻取ユニット４０と、排出搬送ユニットとを配置している。巻取ユニット４０は、巻取ドラム４１と、この巻取ドラム４１で巻取を行うように、巻取ドラム４１に写真フィルムＦを案内する案内姿勢と、巻取ドラム４１の上方に写真フィルムＦを通過させる通過姿勢とに切換自在なガイドとを備えている。また、前記排出搬送ユニットは、駆動ローラ１６と、これに圧着する従動ローラ１７とで構成されている。また、この従動ローラ１７は前記下側本体１０Ｂに対して開閉自在に支持された揺動部材１８に支持されている。
【００３５】
前記第１搬送レーンＬ１、第２搬送レーンＬ２では写真フィルムＦ１、Ｆ２を、その感光面（乳剤面）を下側に向け、駆動ローラ３４と従動ローラ３５との圧着、又は、駆動ローラ３６と従動ローラ３７との圧着によって写真フィルムＦ１、Ｆ２を搬送するものであり、これら第１搬送レーンＬ１、第２搬送レーンＬ２で搬送する写真フィルムＦ１、Ｆ２の搬送不良を発生した場合には、揺動プレート３２を開放して写真フィルムＦ１、Ｆ２の取り外しを容易に行えるものにしている。
【００３６】
前記ベースプレート３１には搬送モータＭ１を備えており、図５に示すように、この搬送モータＭ１の出力軸と前記駆動ローラ３４、３６との間にスプロケット、駆動ベルト等で成る駆動系を形成している。更に、この駆動系からの駆動力をギヤ連動機構を介して前記巻取ドラム４１に伝える系、及び、前記排出搬送ユニットの駆動ローラ１６に伝える系を形成している。
【００３７】
尚、この巻取ドラム４１と駆動ローラ１６とに動力を伝える伝動系には、前記フィルム搬送ユニット３０がスライド作動した際にも動力の伝達を行えるように、前記駆動ローラ３４、３６を駆動する系からの動力が伝えられる駆動ギヤＤＧに咬合する受動ギヤＬＧの主走査方向での長さを、フィルム搬送ユニット３０のスライドストロークより充分に長い寸法に設定している。
【００３８】
前記第２搬送レーンＬ２の挿入部１０Ｐの側の端部位置には、２４０サイズの写真フィルムＦ２を収容した専用のカートリッジＣａの操作機構５０を設けている。この操作機構５０は一対のスピンドル５１Ａ、５１Ｂを有した操作ブロック５１と、回転スピンドル５２とを備えている。この操作ブロック５１は、ベースプレート３１に対し主走査方向に移動自在に支持され、回転スピンドル５２はベースプレート３１に支持した制御モータＭ２からの駆動力で回転操作される。
【００３９】
前記操作ブロック５１は、前記カートリッジＣａを挟み込む位置にバネ付勢され、第２操作ハンドルＨ２の操作で回転スピンドル５２から離間する方向に移動してカートリッジＣａの着脱を行える。このような構造のため、第２操作ハンドルＨ２の手動操作によって、この操作ブロック５１で前記カートリッジＣａを挟み込む位置にセットすることにより、前記制御モータＭ２からの駆動力によってカートリッジＣａから写真フィルムＦ２の送り出しと巻き戻しを行える。
【００４０】
このフィルムキャリア本体１０の内部には、前記第２搬送レーンＬ２で送られる写真フィルムＦ２を表裏から挟み込む上下一対のクリーニング機構６０を備えている。このクリーニング機構６０は、下側のクリーニングベルト６１と上側のクリーニングベルト６２とで写真フィルムＦ２を挟み込む構造を有し、下側のクリーニングベルト６１の端部に接触して除塵を行う回転ブラシ６３を備えている。更に、夫々のクリーニングベルト、及び、回転ブラシに対して前記駆動ローラ３４、３６を駆動する駆動系からの駆動力を伝える系を形成している。尚、夫々のクリーニングベルト６１、６２は表面の繊維が起毛状態にある織物等の素材を用いており、回転ブラシ６３は、下側のクリーニングベルト６１に接触してクリーニングベルト６１に付着した塵埃を除去するように機能する。
【００４１】
また、フィルムキャリア本体１０には内部の空気を送り出す第１排気ファン６５と、前記回転ブラシの近傍の空気を送り出す第２排気ファン６６とを備えている。
【００４２】
このような構成から、写真フィルムＦのスキャニングを行う場合には、前記揺動プレート３２を閉じ姿勢に設定し、前記上側本体１０Ｔの開閉部１０Ｔｂを閉じ姿勢に設定した状態で、このフィルムキャリアＦＣを前記フィルムスキャナ１にセットする。この状態で前記第１操作ハンドルＨ１の操作でフィルムサイズに対応した位置にレーンを設定し、写真フィルムＦを対応するレーンに供給することにより、前記搬送モータＭ１からの駆動力で駆動ローラ３４、３６が駆動され、写真フィルムＦが搬送され、この搬送時に、搬送速度と同期したタイミングで、写真フィルムＦの画像コマの情報が前記光電変換部７において主走査方向Ｘに沿うライン状に連続して取り込まれ、この画像データが取得されるのである。
【００４３】
尚、このフィルムキャリアＦＣを用いて写真フィルムＦから画像データを取得する際には、写真フィルムＦを比較的高速で設定方向に搬送しながら画像データを低解像度で取り込むプレスキャンと、このプレスキャンの後に、写真フィルムＦを逆方向に低速で搬送しながら画像データを高解像度で取り込む本スキャンとを行う形態での処理も可能である。このモードでスキャニングを行う際には、プレスキャンにおいて前記巻取ユニット４０で写真フィルムＦの巻取を行い、この巻取ユニット４０から写真フィルムＦを引き出しながら本スキャンが行われる。
【００４４】
〔除塵ブラシ〕
図７に示すように、前記第１スリットＳ１と第２スリットＳ２とに付着した塵埃を除去する除塵手段としての一対の除塵ブラシ７０を下側本体１０Ｂに備えている。この除塵ブラシ７０は前記スキャニングポジションを基準にして主走査方向Ｘに沿って、このスキャニングポジションを挟む２箇所に配置され、フィルム搬送ユニット３０をスライド作動させた際に、前記第１スリットＳ１と第２スリットＳ２の下面側の開口縁に接触して、塵埃の除去を行えるようにしている。特に、除塵ブラシ７０を構成する繊維の長さを第１スリットＳ１と第２スリットＳ２の内部に入り込む寸法に設定することにより、スリット内壁の塵埃の除去も行えるものにしている。
【００４５】
このように構成したことにより、スキャニング対象とする写真フィルムＦを１３５サイズから２４０サイズに変更した場合や、この逆の場合において、前記フィルム搬送ユニット３０をスライド作動させた際には、この作動を行う毎に前記第１スリットＳ１と第２スリットＳ２との塵埃を取り除けるものとなり、スキャニングによって取得した画像データの画質を高くするものにしている。
【００４６】
なお、前記第１スリットＳ１と第２スリットＳ２とに付着した塵埃を除去するために、図８に示す如く、先細りとなる先端部１００Ａを形成した専用の除去具１００を用いることも考えられる。この除去具１００はスリットを傷めないように、発泡性樹脂のように比較的軟質の素材を用いることになるが、この除去具１００を用いてもスリットの内部の塵埃の除去は困難な面もあるが、本発明によると、オペレータが塵埃を除去する作業を特別に行わずとも、第１スリットＳ１と第２スリットＳ２の塵埃の除去を適正に行えるものにしている。
【００４７】
〔別実施形態〕
本発明は、上記した実施の形態以外に以下のように構成しても良い。
【００４８】
（ａ）除塵手段として、エアーを吹き付けて塵埃を除去するエアーブラシを用いても良い。このように構成することにより、エアーの吹き付けで除去して塵埃をエアーの流れでフィルムキャリア外に排出することも可能となる。また、エアーブラシを備える場合、フィルム搬送ユニットをシフトするタイミングでのみエアーを吹き付けるように制御形態を設定することが考えられる。
【００４９】
（ｂ）除塵手段として、駆動回転する回転ブラシを用いても良い。このように構成することにより、駆動力を利用して積極的に塵埃の除去を行える。この回転ブラシでも、フィルム搬送ユニットをシフトするタイミングでのみ回転ブラシを駆動回転させるように制御形態を設定することが考えられる。
【００５０】
（ｃ）開口としてのスリットの上側の開口縁に接触する位置に除去部材としてのブラシを併せて配置する。このようにブラシを配置することにより、上側の開口縁と下側の開口縁との塵埃を確実に除去してスキャニングを行える。
【００５１】
（ｄ）１２０サイズ、２２０サイズや、７０ミリフィルムのように広幅の写真フィルムの搬送を行うレーンが複数備えられたフィルムキャリアに適用する。
【図面の簡単な説明】
【００５２】
【図１】フィルムスキャナの斜視図
【図２】フィルムキャリアの斜視図
【図３】フィルムキャリアの内部構造を示す斜視図
【図４】フィルムキャリアの内部構造を示す平面図
【図５】フィルムキャリアの駆動系を模式的に示す図
【図６】搬送レーンを切り換え状態を模式的に示す平面図
【図７】搬送レーンを切り換えた際のスリットとブラシとの位置関係を示す断面図
【図８】除去具の使用形態を示す斜視図
【符号の説明】
【００５３】
３０          フィルム搬送ユニット
７０          除塵手段：除塵ブラシ
Ｌ１          レーン：第１搬送レーン
Ｌ２          レーン：第２搬送レーン
Ｓ１          開口：第１スリット
Ｓ２          開口：第２スリット
【図１】
2007053478.tif 000003
【図２】
2007053478.tif 000004
【図３】
2007053478.tif 000005
【図４】
2007053478.tif 000006
【図５】
2007053478.tif 000007
【図６】
2007053478.tif 000008
【図７】
2007053478.tif 000009
【図８】
2007053478.tif 000010